(57)【要約】【課題】用紙から除去された側縁を確実に収容部に落下させることができる後処理装置及び画像形成システムを提供する。【解決手段】用紙の側縁を除去する側縁除去手段と、側縁除去手段で除去される用紙の側縁を収容する側縁収容部と、除去された側縁に作用して少なくとも側縁の一部を動かす側縁作用手段と、を備え、側縁作用手段は、用紙の搬送方向と交差する方向に往復移動する側縁除去手段であり、用紙の側縁を除去した後、往復移動方向における移動範囲の最外側と最内側の間で移動して除去された側縁を落下させる。また、側縁作用手段は、側縁除去手段で除去されて側縁収容部の上方に滞留した側縁の一端に作用して側縁を掻き出す掻き出し部材である。【選択図】図５
2018001358.tif 000002
【特許請求の範囲】
【請求項１】
用紙の側縁を除去する側縁除去手段と、
前記側縁除去手段で除去される用紙の側縁を収容する側縁収容部と、
除去された前記側縁に作用して少なくとも前記側縁の一部を動かす側縁作用手段と、を備えた、
ことを特徴とする後処理装置。
【請求項２】
前記側縁作用手段は、前記用紙の搬送方向と交差する方向に往復移動する前記側縁除去手段であり、前記用紙の側縁を除去した後、往復移動方向における移動範囲の最外側と最内側の間で移動して除去された前記側縁を落下させる、
ことを特徴とする請求項１に記載の後処理装置。
【請求項３】
前記側縁除去手段は、前記往復移動方向における移動範囲の最外側に移動した後、前記移動範囲の最内側に移動し、再度前記最外側に移動して除去された前記側縁を落下させる、
ことを特徴とする請求項２に記載の後処理装置。
【請求項４】
前記側縁作用手段は、前記側縁除去手段で除去されて前記側縁収容部の上方に滞留した側縁の一端に作用して前記側縁を掻き出す掻き出し部材である、
ことを特徴とする請求項１に記載の後処理装置。
【請求項５】
前記掻き出し部材は、一端に形成され操作者が把持する把持部と、他端に形成され前記滞留した側縁の一部を引っ掛ける第１突起部と、前記第１突起部の反対側に延びるように形成され前記滞留した側縁の一部を突き落とすフック部と、前記フック部の先端部に形成され前記滞留した側縁の一部を引っ掛ける第２突起部と、からなる棒状部材であり、前記側縁収容部に着脱可能に収容されている、
ことを特徴とする請求項４に記載の後処理装置。
【請求項６】
前記掻き出し部材は、軟質合成樹脂製である、
ことを特徴とする請求項４又は５に記載の後処理装置。
【請求項７】
照明光を射出する照明手段を更に備え、前記照明手段が前記滞留した側縁を照明する、
ことを特徴とする請求項４ないし６のいずれか１項に記載の後処理装置。
【請求項８】
用紙に画像を形成する画像形成装置と、
請求項１ないし７のいずれか１項に記載の後処理装置と、を備えた、
ことを特徴とする画像形成システム。
【発明の詳細な説明】
【技術分野】
【０００１】
本発明は、後処理装置及び画像形成システムに関する。
【背景技術】
【０００２】
用紙を中折りする中折り手段と、用紙を中綴じする中綴じ手段と、用紙の小口を断裁処理する断裁装置を有して冊子を作成する後処理装置において、断裁装置は、用紙を切断するカッタと、カッタを保持する保持部材とを有し、当該保持部材は、カッタが用紙を切断する切断位置よりも上方の位置で、カッタを保持する後処理装置が知られている（特許文献１）。
【０００３】
シート束の周縁を断裁する断裁装置であって、所定の断裁位置に配置された平刃形状の断裁刃と、断裁刃とシート束を挟んで対向配置された刃受部材と、断裁刃の駆動手段と、断裁位置の上流側に配置されシート束の角度姿勢を偏向する偏向手段と、偏向手段を屑紙片の落下方向に移動するシフト手段と、シフト手段による落下方向の移動量を制御する制御手段と、を備え、制御手段は、切断処理後に偏向手段が保持するシート束で屑紙片を落下させるように偏向手段を落下方向に移動すると共に、その移動量を切断処理したシート束の切断辺に応じて異ならせるシート束断裁装置も知られている（特許文献２）。
【先行技術文献】
【特許文献】
【０００４】
【特許文献１】特開２００５−３４３６６０号公報
【特許文献２】特開２０１５−２１７４９４号公報
【発明の概要】
【発明が解決しようとする課題】
【０００５】
本発明は、用紙から除去された側縁を確実に収容部に落下させることができる後処理装置及び画像形成システムを提供することを目的とする。
【課題を解決するための手段】
【０００６】
前記課題を解決するために、請求項１に記載の後処理装置は、
用紙の側縁を除去する側縁除去手段と、
前記側縁除去手段で除去される用紙の側縁を収容する側縁収容部と、
除去された前記側縁に作用して少なくとも前記側縁の一部を動かす側縁作用手段と、を備えた、
ことを特徴とする。
【０００７】
請求項２記載の発明は、請求項１に記載の後処理装置において、
前記側縁作用手段は、前記用紙の搬送方向と交差する方向に往復移動する前記側縁除去手段であり、前記用紙の側縁を除去した後、往復移動方向における移動範囲の最外側と最内側の間で移動して除去された前記側縁を落下させる、
ことを特徴とする。
【０００８】
請求項３記載の発明は、請求項２に記載の後処理装置において、
前記側縁除去手段は、前記往復移動方向における移動範囲の最外側に移動した後、前記移動範囲の最内側に移動し、再度前記最外側に移動して除去された前記側縁を落下させる、
ことを特徴とする。
【０００９】
請求項４記載の発明は、請求項１に記載の後処理装置において、
前記側縁作用手段は、前記側縁除去手段で除去されて前記側縁収容部の上方に滞留した側縁の一端に作用して前記側縁を掻き出す掻き出し部材である、
ことを特徴とする。
【００１０】
請求項５記載の発明は、請求項４に記載の後処理装置において、
前記掻き出し部材は、一端に形成され操作者が把持する把持部と、他端に形成され前記滞留した側縁の一部を引っ掛ける第１突起部と、前記第１突起部の反対側に延びるように形成され前記滞留した側縁の一部を突き落とすフック部と、前記フック部の先端部に形成され前記滞留した側縁の一部を引っ掛ける第２突起部と、からなる棒状部材であり、前記側縁収容部に着脱可能に収容されている、
ことを特徴とする。
【００１１】
請求項６記載の発明は、請求項４又は５に記載の後処理装置において、
前記掻き出し部材は、軟質合成樹脂製である、
ことを特徴とする。
【００１２】
請求項７記載の発明は、請求項４ないし６のいずれか１項に記載の後処理装置において、
照明光を射出する照明手段を更に備え、前記照明手段が前記滞留した側縁を照明する、
ことを特徴とする。
【００１３】
前記課題を解決するために、請求項８に記載の画像形成システムは、
用紙に画像を形成する画像形成装置と、
請求項１ないし７のいずれか１項に記載の後処理装置と、を備えた、
ことを特徴とする。
【００１４】
本発明によれば、用紙から除去された側縁を確実に収容部に落下させることができる。
【図面の簡単な説明】
【００１５】
【図１】画像形成システムの内部構成を示す断面模式図である。
【図２】第１実施形態に係る後処理装置の断面模式図である。
【図３】（ａ）は側縁除去部が備えるカッターユニットの構造を示す図、（ｂ）は用紙の側縁を示す図である。
【図４】（ａ）は用紙屑収容部の縦断面模式図、（ｂ）は横断面模式図である。
【図５】（ａ）はカッターユニットが最外側に移動した状態を示す用紙屑収容部の横断面模式図、（ｂ）はカッターユニットが最内側に移動した状態を示す用紙屑収容部の横断面模式図である。
【図６】（ａ）は掻き出し部材の平面図、（ｂ）は正面図である。
【図７】（ａ）は用紙屑収容部における側縁のジャム状態を示す縦断面模式図、（ｂ）は横断面模式図である。
【図８】掻き出し部材による側縁のジャム除去操作を説明する斜視模式図である。
【発明を実施するための形態】
【００１６】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１７】
（１）画像形成システムの全体構成及び動作
図１は本実施形態が適用される画像形成システム１の内部構成を示す断面模式図である。図１に示す画像形成システム１は、電子写真方式によって画像を形成するプリンタや複写機等の画像形成装置１００と、画像が記録された用紙Ｐを後処理装置３００へと導く搬送装置２００と、画像形成装置１００によってトナー像が形成された用紙Ｐに後処理を施す後処理装置３００とを備えている。
以下、図面を参照しながら、画像形成システム１の全体構成及び動作を説明する。
【００１８】
（１．１）画像形成装置の全体構成と動作
画像形成装置１００は、制御装置１０、給紙装置２０、感光体ユニット３０、現像装置４０、転写装置５０、定着装置６０、露光装置ＬＳ、を備えて構成されている。
【００１９】
制御装置１０は、画像形成装置１００の動作を制御する画像形成装置制御部１１と、印刷処理要求に応じた画像データを準備するコントローラ部１２、露光装置ＬＳの点灯を制御する露光制御部１３、電源装置１４等を有する。電源装置１４は、感光体ユニット３０、現像装置４０、転写装置５０、定着装置６０、露光装置ＬＳ等に所定の電力を供給する。
【００２０】
画像形成装置１００の底部には、記録媒体としての用紙Ｐが積載された給紙装置２０が設けられ、規制板（不図示）で幅方向位置が決められた用紙Ｐは、上側から１枚ずつ前方（−Ｘ方向）に引き出された後、レジストローラ対２３のニップ部まで搬送される。
【００２１】
感光体ユニット３０は、給紙装置２０の上方（Ｚ方向）に、それぞれが並列して設けられ、回転駆動する感光体ドラム３１を備えている。それぞれの感光体ドラム３１上にはそれぞれの現像装置４０によってイエロー（Ｙ）、マゼンタ（Ｍ）、シアン（Ｃ）、黒（Ｋ）のトナー像が形成される。
【００２２】
各感光体ユニット３０の感光体ドラム３１に形成された各色トナー像は、転写装置５０の中間転写ベルト５１上に順次静電転写（一次転写）され、各色トナーが重畳された重畳トナー像が形成される。中間転写ベルト５１上の重畳トナー像は、レジストローラ対２３から送り出され、搬送ガイドにより案内された用紙Ｐに二次転写ローラ５２によって一括転写される。
【００２３】
転写装置５０においてトナー像が一括転写された用紙Ｐは、トナー像が未定着の状態で定着装置６０に搬送され、一対の加熱モジュール６１と加圧モジュール６２により、圧着と加熱の作用でトナー像が定着される。
定着トナー像が形成された用紙Ｐは、搬送ガイド（不図示）によってガイドされ、搬送装置２００を介して、後処理装置３００に向かって搬送される。  
【００２４】
（１．２）後処理装置の全体構成と動作
後処理装置３００は、搬送装置２００から受け入れた用紙Ｐに対して、折り筋を形成する折り筋形成部３０７、用紙Ｐの側縁ＣＰを除去する側縁除去部（天地トリマー）３０８及び除去された用紙Ｐの側縁ＣＰを屑として収容する用紙屑収容部３０９を備えている。
【００２５】
さらに、後処理装置３００には、ＣＰＵ（Central Processing Unit）、ＲＯＭ（Read Only
Memory）などを含んで構成され、後処理装置３００の各機能部を制御する後処理制御部３１０が設けられている。また、後処理に関する使用者からの操作入力を受け付けるユーザ・インターフェイス（ＵＩ）３２０が設けられている。
【００２６】
そして、画像形成システム１では、後処理装置３００に続いて、後処理装置３００から搬出された用紙Ｐに対して、用紙Ｐを揃えて束ねるコンパイルトレイや用紙Ｐの端部を綴じる端綴じ機構（ステープラ）、中綴じ折り処理を施して冊子を作製する中綴じ折り処理機構などを含むフィニッシャ装置などが接続されてもよい。
このようなシステム構成することで、画像形成システム１は、例えば、冊子を作成する一連の作業（印刷単位）が連続して行えるように構成される。
【００２７】
（２）搬送装置
図２は後処理装置３００の断面模式図、図３（ａ）は側縁除去部３０８が備えるカッターユニット８０の構造を示す図、（ｂ）は用紙Ｐの側縁ＣＰを示す図、図４（ａ）は用紙屑収容部３０９の縦断面模式図、（ｂ）は横断面模式図である。
以下、図面を参照しながら後処理装置３００の構成と動作について説明する。
（２．１）全体構成
図２に示すように、後処理装置３００には、画像形成装置１００から搬送されてきた用紙Ｐを受け入れる受け入れ口３０１、用紙Ｐを排出する排出口３０２が設けられている。
【００２８】
また、後処理装置３００は、受け入れた用紙Ｐに対して、用紙Ｐの搬送方向に対する斜行（スキュー）を検知する斜行検知部３０３、斜行を補正するスイングロール７２を備えた第１傾き補正部３０４、斜行補正ロール７３に用紙Ｐの先端を突き当てて斜行を補正する第２傾き補正部３０５、用紙Ｐの両端の位置を検出する側辺検知部３０６、用紙Ｐに折り筋を形成する折り筋形成部３０７、用紙Ｐの側縁ＣＰを除去する側縁除去部（天地トリマー）３０８及び除去された用紙Ｐの側縁ＣＰを用紙屑として収容する用紙屑収容部３０９を備えている。
【００２９】
（２．２）用紙搬送路
後処理装置３００には、用紙Ｐの搬送路として、受け入れ口３０１を始点として排出口３０２に向かう第１用紙搬送経路Ｓ１が設けられている。
また、第１用紙搬送経路Ｓ１は、斜行検知部３０３、第１傾き補正部３０４、第２傾き補正部３０５、側辺検知部３０６、折り筋形成部３０７、側縁除去部（天地トリマー）３０８を経由するように設けられている。
第１用紙搬送経路Ｓ１により、受け入れ口３０１にて受け入れられた用紙Ｐは、斜行検知部３０３、第１傾き補正部３０４、第２傾き補正部３０５、側辺検知部３０６、折り筋形成部３０７、側縁除去部３０８へ向かう。
【００３０】
第１用紙搬送経路Ｓ１は、側縁除去部３０８の下流側（図中  Ｐ２参照）で、第１分岐経路Ｓ１１と第２分岐経路Ｓ１２とに枝分かれし、第１分岐経路Ｓ１１と第２分岐経路Ｓ１２は、排出口３０２の手前（図２中  Ｐ３参照）で合流する。
【００３１】
さらに、後処理装置３００には、第１用紙搬送経路Ｓ１から分岐する第２用紙搬送経路Ｓ２が設けられている。
第２用紙搬送経路Ｓ２は、第１傾き補正部３０４の下流側の、折り筋形成部３０７の上流側（図２中  Ｐ１参照）で、第１用紙搬送経路Ｓ１から分岐し、第２用紙搬送経路Ｓ２は、第１用紙搬送経路Ｓ１に接続している箇所を始点として、排出口３０２に向かう。
折り筋形成部３０７における折り筋の形成及び側縁除去部３０８による側縁の除去を行わない用紙Ｐは、第２用紙搬送経路Ｓ２を排出口３０２に向かって搬送されるように構成されている。
【００３２】
なお、第１用紙搬送経路Ｓ１から第２用紙搬送経路Ｓ２に分岐する分岐点（Ｐ１）、第１用紙搬送経路Ｓ１が第１分岐経路Ｓ１１と第２分岐経路Ｓ１２とに分岐する分岐点（Ｐ２）、第１分岐経路Ｓ１１、第２分岐経路Ｓ１２及び第２用紙搬送経路Ｓ２が合流する合流点（図２中  Ｐ３参照）には、用紙Ｐの搬送経路を切り替えるゲート（不図示）が設けられている。
また、第１用紙搬送経路Ｓ１、第２用紙搬送経路Ｓ２には、用紙Ｐを用紙搬送方向下流側へ搬送する搬送ロール７１が複数設けられている。
【００３３】
（２．３）後処理装置の機能と動作
斜行検知部３０３は、発光素子と受光素子で構成された検知部材が、用紙Ｐの搬送方向と交差（直交）する方向に２組設けられて構成され、２組の検知部材における用紙Ｐの通過にともなう遮光の時間差から、搬送されてきた用紙Ｐの搬送方向に交差（直交）する方向に対する斜行を算出する。
【００３４】
第１傾き補正部３０４は、スイングロール７２を備えている。スイングロール７２は、モータより回転駆動する駆動ロール７２Ａと、駆動ロール７２Ａと当接して駆動ロール７２Ａから駆動力を受けて回転する従動ロール７２Ｂとから構成されている。
スイングロール７２は、軸の一端側が固定され、他端側は用紙Ｐの搬送に対して交差（直交）する方向に対して傾けられるようになっている。用紙Ｐが到達する直前に、斜行検知部３０３によって検知された用紙Ｐの斜行量に合わせて、スイングロール７２の傾き量が設定されている。
スイングロール７２が傾いた状態で用紙Ｐを挟み込むと、傾いた状態から傾かない元の状態に戻され、用紙Ｐの斜行が補正された状態で用紙Ｐが搬送される。
【００３５】
第２傾き補正部３０５は、第１傾き補正部３０４で斜行が補正された用紙Ｐの斜行をより精度を上げて補正する。第２傾き補正部３０５は、用紙Ｐを突き当てることで斜行を補正する斜行補正ロール７３を備えている。
斜行補正ロール７３は、用紙Ｐが突き当たる直前に、回転が停止した状態に保持され、用紙Ｐは斜行補正ロール７３に突き当たるとともに、ループを形成する。このループが発生したタイミングで斜行補正ロール７３の回転を再開させ、用紙Ｐの斜行が補正される。
【００３６】
側辺検知部３０６は、用紙Ｐの搬送方向に対して直交する方向の端を検知する。例えば、ラインセンサなどにより、用紙Ｐの端の位置が検出される。ここでは、用紙Ｐの搬送方向に対して直交する方向については、用紙Ｐごとに端の位置が異なっている。
【００３７】
折り筋形成部３０７は、第１用紙搬送経路Ｓ１の脇から第１用紙搬送経路Ｓ１に向かって進出する進出部材を有しており、この進出部材を用紙Ｐに押し当てて、用紙Ｐに折り筋を形成する。この折り筋を基に、後処理装置３００に続いて設けられる折り処理を行う装置において、用紙Ｐが折られる。
なお、用紙Ｐに折り筋を形成しない場合には、用紙Ｐは、折り筋が形成されない状態で、側縁除去部３０８に向かう。
【００３８】
側縁除去部３０８は、トリミングを行う装置であり、用紙Ｐの側縁ＣＰ（第１用紙搬送経路Ｓ１に沿った側縁）の部分を除去する。側縁除去部３０８は、例えば、用紙Ｐの搬送方向に対して直交する方向に設けられた軸に固定された円板状の刃を備えるカッターユニット（ロータリーカッターユニット）８０（図３参照）で構成されている。
カッターユニット８０は、用紙Ｐの搬送方向に対して交差（直交）する方向に２個設けられ、用紙Ｐの両端部の側縁ＣＰが並行して除去される。
【００３９】
用紙Ｐの幅は、作製する冊子などにより異なるため、側辺検知部３０６で検出された用紙Ｐの側辺の位置と、用紙Ｐのトリミングする側縁ＣＰのサイズに合わせて、２個のカッターユニット８０が軸に沿って移動して、用紙Ｓの側縁ＣＰを切り落す。
用紙屑収容部３０９は、側縁除去部３０８で切り落とされた用紙Ｐの側縁ＣＰを用紙屑として収容する。
なお、用紙Ｐのトリミングを行わない場合には、用紙Ｐは、側縁ＣＰが除去されない状態で、排出口３０２に向かって搬送される。
【００４０】
（２．３）用紙の側縁除去
カッターユニット８０は、図３（ａ）に示すように、側縁除去手段の一例としてのカッター部３１１と、用紙屑に剛性を付与する筋入れ部３１２とを備えている。
カッター部３１１は、円盤状の刃であるロータリーカッター８２とロータリーカッター８２が押さえつけられる円筒状の押さえ部材８３とを備えている。
筋入れ部３１２は、円板８４と円板８４の先端を受け入れる溝８７とを備えている。  
【００４１】
用紙Ｐの搬送方向に直交する方向に平行に設けられた軸８１Ａ、８１Ｂには、ロータリーカッター８２、押さえ部材８３、円板８４、溝８７が配置されている。
軸８１Ａには、ロータリーカッター８２と、溝８７が形成されたゴムで構成された円筒状の弾性体８５とが予め定められた間隙を有して設けられている。一方、軸８１Ｂには、ロータリーカッター８２が押さえつけられる押さえ部材８３と、押さえ部材８３に隣接する円板８４と、円板８４に隣接するゴムで構成された円筒状の弾性体８６とが設けられている。
円板８４の外径は、押さえ部材８３の外形より大きく設定されているために、円板８４の外周は、押さえ部材８３の外側にはみ出している。なお、弾性体８６の外径は、押さえ部材８３の外径に設定されている。
【００４２】
円板８４の外周は、弾性体８５に設けられた溝８７に入り込むように配置され、弾性体８５と弾性体８６とが接触して、駆動力が伝達されるようになっている。
そのために、軸８１Ａが回転駆動を受けると、軸８１Ａに固定された弾性体８５が回転し、軸８１Ｂに固定された弾性体８６に駆動力が伝わり軸８１Ｂが回転し、ロータリーカッター８２と押さえ部材８３との間に挟まれた用紙Ｐから側縁ＣＰが切り離される。
なお、ロータリーカッター８２と押さえ部材８３とは、ばね（不図示）で噛み合うように圧力が加えられている。
【００４３】
図３（ｂ）に示すように、筋８８は、用紙Ｐの側縁ＣＰに沿って、用紙Ｐの搬送方向に形成される。一例として、用紙Ｐの側縁ＣＰの幅は６〜２５ｍｍとした場合、最も狭い６ｍｍでも、筋８８が形成されるように、ロータリーカッター８２から４ｍｍの位置に設けて、筋８８が、細長い側縁ＣＰに沿って形成される。
筋８８が形成された側縁ＣＰは、筋８８が形成されていない場合に比べて、筋８８に直交する方向に折れ曲がりにくくなるため、用紙搬送方向けるにおける剛性が増加し、折れ曲がりにくくなり棒状を維持しやすくなる。  
【００４４】
その結果、カッターユニット８０でトリミングされた用紙Ｐの側縁ＣＰは、図２に示したように、Ｓ２部分から、設けられたガイドに沿って、斜め方向（図２  右下方向）に進んで、用紙屑収容部３０９に収容される。
側縁ＣＰがトリミングされた用紙Ｐは、Ｓ２部分から、設けられたガイドに沿って、第１分岐経路Ｓ１１又は第２分岐経路Ｓ１２に搬送される。  
【００４５】
（２．４）用紙屑収容部
（２．４．１）用紙屑収容部の構成
図４に示すように、用紙屑収容部３０９は、用紙屑収容箱９１と、側縁ガイド９２とを備えている。
用紙屑収容箱９１は、トリミングされた側縁ＣＰを収容し、後処理装置３００の前面側（操作者側）に引き出し可能に装着されている。
側縁ガイド９２は、重力方向に向かって斜めに設けられた板状の部材で、図４（ｂ）に示すように、それぞれ左右に逆ハの字になるように配置されている。
【００４６】
側縁ガイド９２は、左右のカッターユニット８０に対応して、それぞれのカッターユニット８０の下方に設けられている。
カッターユニット８０から筋８８が形成された側縁ＣＰが落下すると、側縁ＣＰの先端が側縁ガイド９２の傾斜面９２ａによって誘導されて、傾斜面９２ａを横方向（図４（ａ）中  矢印Ｒ１）に滑るように移動する。
【００４７】
そして、筋８８が形成されて棒状となった側縁ＣＰの後端が側縁ガイド９２の傾斜面９２ａに落下する（図４（ａ）中  矢印Ｒ２）。その結果、側縁ＣＰは用紙屑収容箱９１に略水平に落下して（図４（ａ）中  矢印Ｒ３）、用紙屑収容箱９１内で側縁ＣＰの移動方向において盛り上がることなく収容され、用紙屑収容箱９１の収容効率を高めている。
【００４８】
（２．４．２）カッターユニットの動作
カッターユニット８０は、図４（ｂ）に示すように、トリミングする用紙Ｐのサイズ（幅）に応じて、用紙Ｐの搬送方向と交差する方向に移動し、最外側の位置Ｑ１と最内側の位置Ｑ２との間で移動範囲Ｗを有している。最外側の位置Ｑ１は、基準位置（以下、ホームポジションという）であり、用紙Ｐのサイズに応じて、ホームポジションＱ１から所定の位置に移動して、搬送される用紙Ｐの側縁ＣＰをトリミングする。
【００４９】
図５（ａ）はカッターユニット８０が最外側に移動した状態を示す用紙屑収容部の横断面模式図、図５（ｂ）はカッターユニット８０が最内側に移動した状態を示す用紙屑収容部の横断面模式図である。
カッターユニット８０は、図５（ａ）、（ｂ）に示すように、所定の後処理のジョブ終了時には、最終用紙のトリミング終了と同時に、ホームポジションＱ１へ移動した後、移動範囲Ｗの範囲内で往復動する。具体的には、ホームポジションＱ１へ移動した後（図５（ａ）  参照）、最内側の位置Ｑ２へ移動して（図５（ｂ）  参照）再度ホームポジションＱ１に移動する。
【００５０】
その結果、トリミングされた側縁ＣＰの後端がカッターユニット８０の弾性体８５を覆う接触防止カバー８９（図４（ａ）  参照）上に残って側縁ガイド９２へ落下しにくい場合であっても、接触防止カバー８９がカッターユニット８０の移動範囲Ｗの範囲内で往復移動することで、側縁ＣＰは左右に振られて後端が接触防止カバー８９上から離れるきっかけを得て側縁ＣＰの詰り（以下  ジャムという）を抑制することができる。
【００５１】
（２．４．３）掻き出し部材によるジャム除去
図６（ａ）は掻き出し部材９３の平面図、図６（ｂ）は正面図、図７（ａ）は用紙屑収容部３０９における側縁ＣＰのジャム状態を示す縦断面模式図、図７（ｂ）は横断面図、図８は掻き出し部材９３による側縁ＣＰのジャム除去操作を説明する模式図である。
図６に示すように、掻き出し部材９３は、操作者が把持する把持部９３ａと、滞留した側縁ＣＰの一部を引っ掛ける第１突起部９３ｂと、第１突起部９３ｂの反対側に延びるように形成されたフック部９３ｃと、フック部９３ｃの先端部に形成された第２突起部９３ｄからなる棒状部材である。
【００５２】
掻き出し部材９３は、図６（ａ）に示すように、把持部９３ａから第１突起部９３ｂに向けて厚みが２ｍｍ〜５ｍｍの薄板状部材として軟質合成樹脂により一体として形成されている。軟質合成樹脂としては、一例として、ＰＰ（ポリプロピレン）、ＰＯＭ（ポリアセタール）、ＰＥ（ポリエチレン）等が挙げられる。
そのために、用紙屑収容部３０９の内部でトリミングされた側縁ＣＰのジャムが発生した場合、掻き出し部材９３を操作して狭小空間内にアクセスしてジャム除去を行うことができる。
【００５３】
図７に示すように、カッターユニット８０の下流側で、第１分岐経路Ｓ１１と第２分岐経路Ｓ１２の上流側には、上側案内ガイド９４ａと下側案内ガイド９４ｂが開閉可能に設けられている。側縁ＣＰがトリミングされた用紙Ｐは、上側案内ガイド９４ａと下側案内ガイド９４ｂで構成される搬送路を通過して第１分岐経路Ｓ１１へ搬送される。
一方、トリミングされた側縁ＣＰはカッターユニット８０の下方へガイドされ側縁ガイド９２に導かれるが、図７（ａ）に示すように、カッターユニット８０の下流側でジャムが発生することがある。
【００５４】
本実施形態に係る後処理装置３００は、用紙屑収容箱９１の前面側（引き出し側）に着脱可能に設置された掻き出し部材９３を備えている。
さらに、図７に示すように、カッターユニット８０の下方には、照明手段の一例としてのＬＥＤユニット９５が配置されている。
【００５５】
カッターユニット８０の下流側で側縁ＣＰのジャムが発生した場合、操作者は、用紙屑収容部３０９の内部において、ＬＥＤユニット９５で照らされて視認性が向上した状態で、掻き出し部材９３を用いてジャム除去操作を行うことができる。
具体的には、上側案内ガイド９４ａと下側案内ガイド９４ｂを回転（図７（ａ）中  矢印参照）させてジャム除去操作領域Ｒを開放した状態で、掻き出し部材９３の第１突起部９３ｂ、第２突起部９３ｄを利用して側縁ＣＰを用紙屑収容部３０９の外部に引き出して除去したり、フック部９３ｃを利用して側縁ＣＰを用紙屑収容箱９１内に落下させたりすることができる。
【００５６】
図８には掻き出し部材９３を用いた側縁ＣＰのジャム除去操作の一例を示す。図８（ａ）に示すように、掻き出し部材９３の第１突起部９３ｂを利用して、用紙屑収容部３０９の奥側に滞留している側縁ＣＰをジャム除去操作領域Ｒから上方（図８（ａ）中  矢印Ｒ１参照）に引き上げて除去することができる。
【００５７】
また、図８（ｂ）に示すように、掻き出し部材９３の第２突起部９３ｄを利用して、用紙屑収容部３０９の前面側に滞留している側縁ＣＰをジャム除去操作領域Ｒから上方（図８（ｂ）中  矢印Ｒ１参照）に引き上げながら手前（操作者側：図８（ｂ）中  矢印Ｒ２参照））に掻き出して除去することができる。
【００５８】
さらに、図８（ｃ）に示すように、掻き出し部材９３のフック部９３ｃを利用して、用紙屑収容部３０９の前側及び奥側に滞留している側縁ＣＰをジャム除去操作領域Ｒから下方（図８（ｃ）中  矢印Ｒ３参照）の用紙屑収容箱９１内に向かって突き落として除去することができる。
【符号の説明】
【００５９】
１・・・画像形成システム
１００・・・画像形成装置
１０・・・制御装置
２０・・・給紙装置
３０・・・感光体ユニット
４０・・・現像装置
５０・・・転写装置
６０・・・定着装置
２００・・・搬送装置
３００・・・後処理装置
３０６・・・側辺検知部
３０７・・・折り筋形成部
３０８・・・側縁除去部
３０９・・・用紙屑収容部
８０・・・カッターユニット
８２・・・ロータリーカッター
８３・・・押さえ部材
９１・・・用紙屑収容箱
９２・・・側縁ガイド
９３・・・掻き出し部材
９４ａ・・・上側案内ガイド
９４ｂ・・・下側案内ガイド
９５・・・ＬＥＤユニット
Ｐ・・・用紙
ＣＰ・・・側縁
【図１】
2018001358.tif 000003
【図２】
2018001358.tif 000004
【図３】
2018001358.tif 000005
【図４】
2018001358.tif 000006
【図５】
2018001358.tif 000007
【図６】
2018001358.tif 000008
【図７】
2018001358.tif 000009
【図８】
2018001358.tif 000010